(57)【特許請求の範囲】
【請求項１】
積載物を寝かせた状態で受容する受容姿勢から先端側が立ち上がることにより前記積載物を立てた状態で支持する起立姿勢に姿勢が変化する受容部と、該受容部の基端側の部分から突設されて前記受容部に積載された前記積載物における前記受容部の姿勢が前記起立姿勢に変化したときの下端位置を位置決めする位置決め部とを有し、仕分方向に沿って並ぶように配置される複数の積載部材と、
前記積載物を受容した前記受容部の姿勢を前記受容姿勢から前記起立姿勢に変化させるとともに前記積載部材を前記仕分方向に移動させる移動機構と
を有して、受容した前記積載物を複数の前記積載部材によって仕分けする仕分装置であって、
前記位置決め部には、前記受容部の姿勢が前記受容姿勢である場合において前記位置決め部の先端である上端から上方に立設されて前記積載物の位置決めを補助する一方、前記受容部の姿勢が前記受容姿勢から前記起立姿勢に変化される場合に前記位置決め部側となる基端側を中心として先端側が前記受容部における前記積載物の受容面に近接する方向に回動する積載補助部材
が設けられ、
前記積載補助部材は、前記受容部の姿勢が前記受容姿勢から前記起立姿勢に変化される場合に、前記仕分方向の下流側に隣り合うように配置される前記積載部材に当接することで前記先端側が前記受容部の前記受容面に近接する方向に回動し、前記受容姿勢において前記位置決め部と同じ方向に延びる本体部と、前記受容姿勢において前記位置決め部に当接することで前記本体部の回動を規制する規制部と、を有していることを特徴とする仕分装置。
【請求項２】
前記積載補助部材の先端部は、前記受容姿勢においてその先端が前記受容部の前記受容面と対向する方向に屈曲されていることを特徴とする請求項１に記載の仕分装置。
【請求項３】
前記積載部材は、前記仕分方向と交差する搬送方向に搬送されて前記積載部材に向けて排出される前記積載物を受容し、
前記積載補助部材は、前記搬送方向に延びる回動軸を中心に回動するとともに、前記搬送方向に沿って複数設けられていることを特徴とする請求項１又は２に記載の仕分装置。
【請求項４】
前記積載補助部材の前記本体部は、前記起立姿勢において前記受容部と平行をなすことを特徴とする請求項１〜３のうち何れか一項に記載の仕分装置。
【発明の詳細な説明】
【技術分野】
【０００１】
本発明は、例えば印刷物などの積載物を積載可能な積載部材及び該積載部材を複数備える仕分装置に関する。
【背景技術】
【０００２】
一般に、記録媒体に記録処理を施す記録装置としてインクジェット式プリンターが広く知られている（例えば、特許文献１）。この特許文献１に記載のプリンターは、オーダー毎にプリントペーパーに対して記録処理を行うプリンター本体部を備えている。また、このプリンターは、プリンター本体部で記録処理がなされたプリントペーパーを受け渡し位置に搬送する搬送ユニットと、該搬送ユニットによって受け渡し位置に排出されるプリントペーパー（積載物）をオーダー毎に複数の集積プレート（積載部材）に振り分けて集積する集積ユニット（仕分装置）とを備えている。
【０００３】
特許文献１の集積ユニットにおいて、各集積プレートは、無端状の集積ベルトの外周面に略等間隔に設けられた保持部にそれぞれ取り付けられている。そして、各集積プレートは、プリントペーパーの受け渡し位置において、プレート面が水平になるような姿勢で待機するようになっている。また、この集積プレートは、プレート面にオーダーに対応した枚数のプリントペーパーが集積されると、集積ベルトの回転動作に追従して立ち上がるように姿勢を変化させた後、受け渡し位置から移動するようになっている。
【先行技術文献】
【特許文献】
【０００４】
【特許文献１】特開２００９−９２８０４号公報
【発明の概要】
【発明が解決しようとする課題】
【０００５】
ところで、特許文献１に記載されている集積プレートＰＴは、図８に示すように、受け渡し位置でプリントペーパーを寝かせた状態にて受容する平板状の受容部１０１と、受容部１０１に集積されたプリントペーパーＰ（Ｐ１，Ｐ２）の起立状態での下端位置を位置決めする位置決め部１０２とを有している。この位置決め部１０２は、集積プレートＰＴが立ち上がったときに同じく立ち上がった状態となるプリントペーパーＰの下端部を支持するとともに、受容部１０１がプリントペーパーＰを受容するときにプリントペーパーＰが受容部１０１からはみ出さないように規制する側壁としても機能している。
【０００６】
しかし、プリンター本体部から排紙されたプリントペーパーＰ１が上向きにカールしている場合などには、図８（ａ）に示すようにプリントペーパーＰ１の浮き上がった端部（同図においては右端部）が位置決め部１０２の上にかぶさり、集積プレートＰＴからはみ出してしまうことがある。また、プリントペーパーＰ１が位置決め部１０２の上にかぶさった状態で集積プレートＰＴが図８（ａ）における矢印で示す方向（時計方向）に立ち上がると、プリントペーパーＰ１が集積プレートＰＴからこぼれ落ちてしまうという問題がある。
【０００７】
一方、プリンター本体部から排紙されたプリントペーパーＰ２が下向きにカールしている場合には、図８（ｂ）に示すように集積プレートＰＴが立ち上がるときにプリントペーパーＰ２の重心が受容部１０１から離れてしまう。そのため、集積プレートＰＴが立ち上がったときに、その慣性力でプリントペーパーＰ２が集積プレートＰＴからこぼれ落ちてしまう虞がある。なお、こうした問題は、集積プレートのような積載部材を複数備える仕分装置に限らず、積載物を寝かせた状態で積載した後に立ち上がるように姿勢を変化させる積載部材において共通するものである。
【０００８】
本発明は、上記課題を解決するためになされたものであり、その目的は、姿勢変化に伴う積載物の落下を抑制することができる積載部材及び該積載部材を複数備える仕分装置を提供することにある。
【課題を解決するための手段】
【０００９】
上記目的を達成するために、本発明の積載部材は、積載物を寝かせた状態で受容する受容姿勢から先端側が立ち上がることにより前記積載物を立てた状態で支持する起立姿勢に姿勢が変化する受容部と、該受容部の基端側の部分から突設されて前記受容部に積載された前記積載物における前記受容部の姿勢が前記起立姿勢に変化したときの下端位置を位置決めする位置決め部とを有する積載部材であって、前記位置決め部には、前記受容部の姿勢が前記受容姿勢である場合において前記位置決め部の先端である上端から上方に立設されて前記積載物の位置決めを補助する一方、前記受容部の姿勢が前記受容姿勢から前記起立姿勢に変化される場合に前記位置決め部側となる基端側を中心として先端側が前記受容部における前記積載物の受容面に近接する方向に回動する積載補助部材が設けられている。
【００１０】
この構成によれば、受容姿勢の受容部に積載された積載物の端部が受容部から浮き上がっている場合にも、積載補助部材によって確実に積載物の位置決めをすることができる。また、受容姿勢から起立姿勢に姿勢が変化する場合には、積載補助部材が回動することで受容部との間に積載物を挟み込む態様となるので、積載物を積載補助部材で押さえることができる。したがって、受容部の姿勢変化に伴う積載部材からの積載物の落下を抑制することができる。
【００１１】
本発明の積載部材において、前記積載補助部材の先端部は、前記受容姿勢においてその先端が前記受容部の前記受容面と対向する方向に屈曲されている。
この構成によれば、積載補助部材の屈曲された先端部によって積載物の上端位置が位置決めされるので、積載物が積載補助部材の上にかぶさるのを抑制することができる。したがって、受容部の姿勢が受容姿勢から起立姿勢に変化する場合に、積載物が積載補助部材を乗り越えてこぼれ落ちるのを抑制することができる。
【００１２】
上記目的を達成するために、本発明の仕分装置は、仕分方向に沿って並ぶように配置される複数の上記積載部材と、前記積載物を受容した前記受容部の姿勢を前記受容姿勢から前記起立姿勢に変化させるとともに前記積載部材を前記仕分方向に移動させる移動機構とを有して、受容した前記積載物を複数の前記積載部材によって仕分けする仕分装置であって、前記積載補助部材は、前記受容部の姿勢が前記受容姿勢から前記起立姿勢に変化される場合に、前記仕分方向の下流側に隣り合うように配置される前記積載部材に当接することで前記先端側が前記受容部の前記受容面に近接する方向に回動する。
【００１３】
この構成によれば、積載補助部材が仕分方向の下流側に隣り合うように配置される積載部材に当接することで回動するので、隣り合うように配置される積載部材同士の間に隙間がある場合にも、該隙間に積載物が落下するのを抑制することができる。
【００１４】
本発明の仕分装置において、前記積載部材は、前記仕分方向と交差する搬送方向に搬送されて前記積載部材に向けて排出される前記積載物を受容し、前記積載補助部材は、前記搬送方向に延びる回動軸を中心に回動するとともに、前記搬送方向に沿って複数設けられている。
【００１５】
この構成によれば、積載補助部材を複数配置することで、積載物の搬送方向における長さが異なる場合や、積載物の搬送方向における落下位置が異なる場合にも、各積載物の積載を補助することができる。
【００１６】
本発明の仕分装置において、前記積載補助部材は、前記受容姿勢において前記位置決め部と同じ方向に延びる本体部と、前記受容姿勢において前記位置決め部に当接することで前記本体部の回動を規制する規制部と、を有している。
【００１７】
この構成によれば、規制部が本体部の回動を規制することで、受容姿勢における本体部の位置決めを行うことができる。
本発明の仕分装置において、前記積載補助部材の前記本体部は、前記起立姿勢において前記受容部と平行をなす。
【００１８】
この構成によれば、積載補助部材は起立姿勢において本体部が受容部と平行をなすので、受容部との間に挟まれた積載物の姿勢を整えることができる。
【図面の簡単な説明】
【００１９】
【図１】本発明にかかる仕分装置の一実施形態についてその仕分装置を備えたプリンターユニットの構成を示す上面図。
【図２】図１における２―２線矢視断面図。
【図３】図１における３―３線矢視断面図。
【図４】同実施形態において搬送装置から仕分装置への受け渡し領域を示す斜視図。
【図５】（ａ）は本発明にかかる積載部材の一実施形態について受容姿勢における構成を示す斜視図で、（ｂ）は同積載部材の受容姿勢における作用を説明するための側面図。
【図６】（ａ）は本発明にかかる積載部材の一実施形態についてその起立姿勢における構成を示す斜視図で、（ｂ）は同積載部材の起立姿勢における作用を説明するための側面図。
【図７】（ａ）は同実施形態の積載部材についてその受容姿勢における積載補助部材の構成を示す底面図で、（ｂ）は同じく起立姿勢における積載補助部材の構成を示す上面図。
【図８】（ａ）及び（ｂ）は従来の集積ユニットに備えられた集積プレートを模式的に示す側面図。
【発明を実施するための形態】
【００２０】
以下、本発明を記録装置の一種であるインクジェット式プリンター（以下、「プリンター」と略す場合もある）に付属して用いられる仕分装置に具体化した実施形態を説明する。また、以下の説明において、「前後方向」、「左右方向」、「上下方向」をいう場合は各図中に矢印で示す前後方向、左右方向、上下方向をそれぞれ示すものとする。なお、図面中の上方向、右方向及び前方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００２１】
図１に示すように、プリンターユニット１１は、記録装置の一例としてのプリンター１００と、搬送装置１１０と、仕分装置１２０とを構成要素として備えている。プリンター１００は、長尺状の用紙であるシートＳＴ（図２参照）に対して記録（印刷）を施すとともに、シートＳＴの記録が施された部分を切断することで積載物の一例としてのカット用紙ＣＳとして排紙する。
【００２２】
搬送装置１１０は、プリンター１００から排紙された記録済みのカット用紙ＣＳを仕分装置１２０に向けて搬送するとともに、仕分装置１２０がカット用紙ＣＳを受容する受け渡し領域ＤＡに向けてカット用紙ＣＳを排出する。また、仕分装置１２０は、積載部材の一例としての複数のトレイ１３０を備えている。各トレイ１３０は、半透明の合成樹脂からなる。そして、仕分装置１２０は、各トレイ１３０が受け渡し領域ＤＡに順次移動していくことで、カット用紙ＣＳ（印刷物）を仕分けするようになっている。
【００２３】
次に、プリンター１００の構成について詳述する。
図２に示すように、プリンター１００は、後壁の上部に排紙部１２ａを有する略直方体状の本体ケース１２と、本体ケース１２内の前側下部においてシートＳＴをロール状に巻き重ねたロール体ＲＳの状態で保持する保持部１３とを備えている。また、プリンター１００は、本体ケース１２内に、保持部１３から排紙部１２ａに向かって延びる搬送経路に沿ってシートＳＴを搬送する搬送機構１４を備えている。また、本体ケース１２内には、ロール体ＲＳから巻き解かれたシートＳＴに対して記録を施す記録部１５と、カッター１６とが設けられている。また、本体ケース１２内において排紙部１２ａと隣接する位置には、搬送機構１４の一部を構成するカール矯正機構１７が設けられている。
【００２４】
搬送機構１４によって搬送されるシートＳＴは、記録部１５において表面に記録処理が施される。その後、シートＳＴは、表面に印刷が施された部分がカッター１６で切断される。そして、切断されたシートＳＴの先端側の部分はカット用紙ＣＳ（単票）となる。また、このカット用紙ＣＳは、カール矯正機構１７においてカール（巻きぐせ）が矯正される。
【００２５】
保持部１３は、ロール体ＲＳを回転可能に支持する回転軸１８と、回転軸１８を回転させるための回転モーター（図示略）とを備えている。そして、回転モーターの駆動に伴って回転軸１８が図２における反時計方向に回転すると、ロール体ＲＳからシートＳＴが巻き解かれるようになっている。
【００２６】
搬送機構１４は、シートＳＴを搬送方向Ｘ１の上流側から下流側（本実施形態では前側から後側）に搬送する複数の搬送ローラー２０〜２４と、各搬送ローラー２０，２１，２２，２４との間にシートＳＴを挟持する従動ローラー３０，３１，３２，３４とを備えている。各搬送ローラー２０，２１，２２，２４と各従動ローラー３０，３１，３２，３４とは、搬送経路を挟んで互いに対向する位置に配置されている。
【００２７】
なお、以下の説明において、互いに対をなす搬送ローラー２２と従動ローラー３２を搬送ローラー対Ｒ２ということがある。また、搬送機構１４は、搬送ローラー２０〜２４を回転させるための紙送りモーター（図示略）と、搬送ローラー対Ｒ２と対応する位置に配置された搬送経路形成部材３８とを備えている。
【００２８】
記録部１５は、搬送経路の上側に配置されたガイド軸４２と、ガイド軸４２に支持されたキャリッジ４３と、キャリッジ４３に支持された記録ヘッド４４とを備えている。また、記録部１５は、搬送経路を挟んで記録ヘッド４４と対向する位置に配置された支持部材４５を備えている。ガイド軸４２は、搬送方向Ｘ１と交差（本実施形態では直交）するシートＳＴの幅方向Ｙ１（本実施形態では左右方向）に沿って延びるように本体ケース１２に架設されている。また、キャリッジ４３は、ガイド軸４２に案内されつつ幅方向Ｙ１に沿って往復移動するようになっている。
【００２９】
支持部材４５の上面には複数の吸引孔（図示略）が開口している。また、支持部材４５には吸引孔を通じてシートＳＴを吸着するための吸引機構４６が内蔵されている。また、記録ヘッド４４には、液体としてのインクを噴射する複数のノズル４７が設けられている。そして、支持部材４５に支持されたシートＳＴの表面（図１では上面となる記録面）に記録ヘッド４４のノズル４７からインクが噴射されることで、シートＳＴに記録が施されるようになっている。
【００３０】
なお、プリンター１００では、１つの印刷ジョブに含まれる印刷データを複数に分割し、分割された各印刷データに基づく印刷処理をキャリッジ４３の走査毎に行うとともに、各印刷処理の合間に、シートＳＴの印刷が施された部分が間欠的に搬送されるようになっている。すなわち、記録部１５では、幅方向Ｙ１が長手方向となる帯状の画像の形成と紙送りとが交互に繰り返されることで、１つの印刷ジョブに基づく画像が形成されるようになっている。
【００３１】
また、カッター１６によるシートＳＴの切断は、搬送機構１４によるシートＳＴの搬送を停止させ、上流側を支持部材４５の吸引機構４６で保持する一方、下流側を搬送ローラー対Ｒ２で挟持した状態で行われる。なお、本実施形態においては、印刷を行うためにシートＳＴの搬送を停止したときに、シートＳＴの切断を行うようになっている。そして、切断されたカット用紙ＣＳは、搬送ローラー２２〜２４によって停止されることなく連続的に搬送され、カール矯正機構１７でカールが矯正された後に、排紙部１２ａを通じて搬送装置１１０側に排紙される。
【００３２】
カール矯正機構１７は、搬送ローラー２３，２４及び従動ローラー３４を構成要素の一部として有している。従動ローラー３４は、搬送ローラー２４との間にカット用紙ＣＳを挟持したときに、カット用紙ＣＳの搬送に伴って従動回転するとともに、搬送ローラー２３との間でカット用紙ＣＳを屈曲させることで、カット用紙ＣＳのカールを矯正するようになっている。なお、搬送ローラー２３は、カット用紙ＣＳが屈曲されるときに、その屈曲部分の上流側を支持する支持部として機能する。
【００３３】
次に、搬送装置１１０の構成について詳述する。
図１に示すように、搬送装置１１０は、プリンター１００から排紙されたカット用紙ＣＳを搬送方向Ｘ２の上流側から下流側（本実施形態では左側から右側）に向けて搬送するもので、基台部５０上に載置されている。
【００３４】
搬送装置１１０は、駆動ローラー５１と、従動ローラー５２と、駆動ローラー５１及び従動ローラー５２に巻き掛けられた無端状の搬送ベルト５３と、駆動ローラー５１を回転させるための搬送モーター（図示略）とを備えている。そして、搬送モーターの駆動によって駆動ローラー５１が回転することで搬送ベルト５３が回転（周回移動）するようになっている。
【００３５】
搬送ベルト５３の搬送方向Ｘ２における上流側はプリンター１００の排紙部１２ａの下方に配置されている。また、搬送ベルト５３の搬送方向Ｘ２における下流側は仕分装置１２０の受け渡し領域ＤＡと隣り合う位置に配置されている。したがって、カット用紙ＣＳが搬送ベルト５３の搬送面５３ａ（上面からなる水平面）に載置されると、カット用紙ＣＳは仕分装置１２０の受け渡し領域ＤＡに向かって搬送方向Ｘ２に搬送されるようになっている。
【００３６】
このとき、搬送ベルト５３は受け渡し領域ＤＡの搬送方向Ｘ２における中央付近に向けてカット用紙ＣＳを投げ出すような速度で回転される。そして、カット用紙ＣＳは搬送面５３ａの搬送方向Ｘ２における下流端に至ると、搬送面５３ａから離間して仕分装置１２０の受け渡し領域ＤＡに配置されたトレイ１３０に向けて排出される。
【００３７】
次に、仕分装置１２０の構成について詳述する。
図１に示すように、仕分装置１２０は、箱形のケース５９を備えている。仕分装置１２０は、ケース５９において後側となる位置に受け渡し領域ＤＡを有しているとともに、ケース５９において前側となる位置に反転領域ＲＡを有している。さらに、仕分装置１２０は、ケース５９の前後方向における受け渡し領域ＤＡと反転領域ＲＡとの間に、カット用紙ＣＳを仕分けするための仕分領域ＳＡを有している。
【００３８】
仕分装置１２０のトレイ１３０は、搬送装置１１０から仕分領域ＳＡへのカット用紙ＣＳの受け渡し領域ＤＡにおいて、搬送方向Ｘ２に搬送されてトレイ１３０に向けて排出される複数のカット用紙ＣＳを受容する。また、仕分装置１２０は、カット用紙ＣＳを受容したトレイ１３０を仕分領域ＳＡにおいて搬送方向Ｘ２と直交するカット用紙ＣＳの仕分方向Ｘ３（本実施形態では前方向）に移動させることで、受容したカット用紙ＣＳを仕分けする。なお、仕分領域ＳＡには、複数（本実施形態では９つ）のトレイ１３０が仕分方向Ｘ３に沿って並ぶように配置されている。
【００３９】
図３に示すように、仕分装置１２０はケース５９内に収容された移動機構６０を備えている。移動機構６０は、歯車６１，６２，６３，６４と、無端状のチェーン６５と、歯車６１を回転させるための駆動モーター（図示略）とを備えている。歯車６１，６３は駆動歯車で、駆動モーター（図示略）によって図３における反時計方向に回転される。また、歯車６２は従動歯車であるとともに、歯車６４はばね（図示略）によって下側に付勢されるテンション歯車である。そして、各歯車６１〜６４は、チェーン６５に対して内側からそれぞれ噛合している。
【００４０】
チェーン６５は、歯車６１，６２，６３，６４に巻き掛けられるとともに、歯車６４によって適度に張設された状態に保持されている。そして、チェーン６５は、駆動モーターの駆動に伴って歯車６１，６３が回転すると、一定の周回移動経路を形成するように図３において反時計方向に周回移動するようになっている。
【００４１】
チェーン６５には、トレイ１３０を装着するための複数（本実施形態では２２個）の保持部６７がほぼ等間隔に設けられている。トレイ１３０は、保持部６７に装着される装着部７０と、平板状の受容部７１と、側面視において受容部７１と略直交するように受容部７１の基端側の部分から突設された位置決め部７２とを有している。そして、チェーン６５の各保持部６７には、それぞれ１つのトレイ１３０が周回移動経路に沿って並ぶように取着されている。
【００４２】
図１に示すように、トレイ１３０の受容部７１において搬送方向Ｘ２（左右方向）の中央付近には、反射部７３が設けられている。反射部７３は、受容部７１から後方に向けて三角錐状をなすように凹み形成された３つの斜面のうち、右側の斜面に光を反射する反射シールを貼り付けることで構成されている。
【００４３】
また、ケース５９において反転領域ＲＡの左端側には、光源部７４ａ及び受光部７４ｂを有する反射型の光学式センサー７４が設けられている。光学式センサー７４は、図１に二点鎖線で示すように、仕分領域ＳＡの最前列に位置するトレイ１３０の反射部７３に向けて光源部７４ａから光を出射する。
【００４４】
そして、仕分領域ＳＡの最前列に位置するトレイ１３０にカット用紙ＣＳが積載されていない場合には、光源部７４ａから出射された光は反射部７３で反射して、その反射光を受光部７４ｂが受光する。一方、仕分領域ＳＡの最前列に位置するトレイ１３０にカット用紙ＣＳが積載されている場合には、光源部７４ａから出射された光はカット用紙ＣＳによって遮られ、受光部７４ｂは反射光を受光しない。したがって、仕分装置１２０においては、受光部７４ｂが反射光を受光している場合にはトレイ１３０を移動させる一方、受光部７４ｂが反射光を受光しなくなった場合にトレイ１３０の移動を停止させるようになっている。
【００４５】
仕分領域ＳＡには、仕分方向Ｘ３に沿ってトレイ１３０が９つ並ぶようになっているため、仕分装置１２０はカット用紙ＣＳをオーダー毎に９つに仕分けることができるようになっている。また、カット用紙ＣＳを積載したトレイ１３０が仕分領域ＳＡの最前列に移動すると、トレイ１３０の移動が停止され、ユーザーによってカット用紙ＣＳが取り出されるようになっている。そして、仕分領域ＳＡの最前列に位置するトレイ１３０からカット用紙ＣＳが取り出されると、トレイ１３０の仕分方向Ｘ３への移動が再開される。これにより、空になったトレイ１３０は反転領域ＲＡにおいて反転され、チェーン６５の回転に伴って再び受け渡し領域ＤＡに向けて移動するようになっている。
【００４６】
図４に示すように、トレイ１３０において受容部７１の右端側には、ユーザーによるカット用紙ＣＳの取り出しを補助するために、２つの切欠部７５，７６が形成されている。なお、仕分装置１２０は、図４に二点鎖線で示す最小サイズのカット用紙ＣＳから、図４に一点鎖線で示す最大サイズのカット用紙ＣＳまでの複数サイズのカット用紙ＣＳを仕分けする。したがって、切欠部７５は主に小さいサイズのカット用紙ＣＳの取り出しを補助する一方、切欠部７６は主に大きいサイズのカット用紙ＣＳの取り出しを補助する。なお、１つのトレイ１３０には、５０枚程度のカット用紙ＣＳが積載可能となっている。また、受け渡し領域ＤＡには、受け渡し領域ＤＡに向けて投げ出されるカット用紙ＣＳを受け止めてトレイ１３０の方に案内する案内板７９，８０が設けられている。
【００４７】
トレイ１３０は、移動機構６０によって、受容部７１が仕分方向Ｘ３の上流側から下流側に向けてやや低くなるように傾斜した受容姿勢で受け渡し領域ＤＡに順次配置される。そして、トレイ１３０はこの受容姿勢において、上面側となる受容面７１ａにカット用紙ＣＳを寝かせた状態で受容する。また、トレイ１３０の位置決め部７２は受容部７１の仕分方向Ｘ３における下流側の端部に設けられている。そのため、トレイ１３０の受容部７１に積載されたカット用紙ＣＳは自重によって仕分方向Ｘ３の下流側に移動し、位置決め部７２によって仕分方向Ｘ３における位置決め及び下端位置の位置決めが大まかに行われる。
【００４８】
受け渡し領域ＤＡにおいてカット用紙ＣＳを受容した各トレイ１３０は、移動機構６０の駆動に伴って、カット用紙ＣＳを積載した状態で受容姿勢から起きあがるように順次姿勢を変化させながら、受け渡し領域ＤＡから仕分領域ＳＡに向けて移動する。このとき、トレイ１３０の受容部７１は、受容姿勢から先端側が立ち上がることによりカット用紙ＣＳを立てた状態で支持する起立姿勢に姿勢が変化する。
【００４９】
また、トレイ１３０の位置決め部７２は、受容部７１に積載されたカット用紙ＣＳにおける、受容部７１の姿勢が起立姿勢に変化したときの下端位置を位置決めする。そして、仕分領域ＳＡにおいてチェーン６５の上側に位置する複数（本実施形態では９つ）のトレイ１３０は、受容部７１同士が互いに平行をなすようにやや傾斜した状態で仕分方向Ｘ３に移動する。なお、トレイ１３０の受容部７１が起立姿勢になっている場合には、位置決め部７２が受容部７１の下側に位置するため、カット用紙ＣＳは図３に二点鎖線で示すように下面側が受容部７１にもたれかかった状態で下端が位置決め部７２に支持される。
【００５０】
各トレイ１３０の位置決め部７２には、積載補助部材９０が取り付けられている。積載補助部材９０は、各トレイ１３０において、搬送方向Ｘ２に沿って複数（本実施形態では２つ）設けられている。各積載補助部材９０は、受容姿勢において位置決め部７２と同じ方向に延びる本体部９１と、位置決め部７２の先端部に設けられた支持部７２ａに回動自在に支持される回動軸９２（図７参照）と、本体部９１から延設される規制部９３（図６（ａ）参照）とを有している。
【００５１】
図５に示すように、積載補助部材９０において本体部９１の先端部は、受容姿勢においてその先端が受容部７１の受容面７１ａと対向する方向に屈曲されている。また、図６に示すように、規制部９３は本体部９１から位置決め部７２側に向けて延設されるとともに、回動軸９２は搬送方向Ｘ２において規制部９３の両側に設けられている。
【００５２】
図７（ａ）に示すように、両回動軸９２は、搬送方向Ｘ２に沿ってそれぞれ規制部９３から離間する方向に延びている。積載補助部材９０の本体部９１及びトレイ１３０の位置決め部７２には、それぞれ係止部９５，９６が設けられている。また、積載補助部材９０と位置決め部７２との間には、端部がそれぞれ係止部９５，９６に係止されたねじりコイルばね９７が設けられている。なお、ねじりコイルばね９７は、積載補助部材９０において規制部９３と一方の回動軸９２との間にコイル部分が配置されている。
【００５３】
積載補助部材９０は、受容姿勢において、ねじりコイルばね９７の付勢力によって図５及び図７（ａ）に示す延設位置に配置される。このとき、規制部９３は、受容姿勢において位置決め部７２の底面側に当接することで本体部９１の回動を規制する。
【００５４】
また、積載補助部材９０は、受容部７１の姿勢が受容姿勢から起立姿勢に変化される場合に、仕分方向Ｘ３の下流側に隣り合うように配置されるトレイ１３０に当接することで、回動軸９２を中心に本体部９１の先端側が受容部７１の受容面７１ａに近接する方向に回動する。そして、受容部７１の姿勢が起立姿勢に変化するまでに、積載補助部材９０は図５（ｂ）における時計方向に略９０度回動する。これにより、積載補助部材９０は、起立姿勢において、図６及び図７（ｂ）に示す収容位置に配置される。このとき、積載補助部材９０の本体部９１は受容部７１と平行をなす態様となる。
【００５５】
次に、トレイ１３０及び仕分装置１２０の作用について説明する。
カット用紙ＣＳは、プリンター１００のカール矯正機構１７によってカールが矯正されるが、ロール体ＲＳの内周側に巻かれていたか外周側に巻かれていたかによって矯正前のカールの強さが異なるため、矯正後もカールが残ることがある。
【００５６】
例えば、ロール体ＲＳの内周側に巻かれていて矯正前のカールが強かったカット用紙ＣＳは、カール矯正機構１７によってカールが矯正しきれずに残ってしまい、図２に示すように下向きに湾曲した状態でトレイ１３０に積載されることがある。一方、ロール体ＲＳの外周側に巻かれていて矯正前のカールが弱かったカット用紙ＣＳは、カール矯正機構１７によって逆向きのカールがついてしまい、図５（ｂ）に示すように上向きに湾曲した状態でトレイ１３０に積載されることがある。
【００５７】
その点、トレイ１３０は、受容姿勢の受容部７１にカット用紙ＣＳが上向きにカールした状態で積載された場合にも、積載補助部材９０が位置決め部７２の上端から上方に立設される態様となって、図５（ｂ）に示すようにカット用紙ＣＳの位置決めを補助する。なお、位置決め部７２をカット用紙ＣＳの浮き上がりに対応して長くしておくと、受容部７１が起立姿勢になったときに隣り合うように配置される受容部７１との間隔が空きすぎてしまい、仕分装置１２０が大型化してしまう。これに対して、トレイ１３０においては、受容部７１の姿勢が受容姿勢から起立姿勢に変化される場合に、積載補助部材９０が位置決め部７２側となる基端側を中心として先端側が受容部７１の受容面７１ａに近接する方向に回動する。これにより、仕分領域ＳＡにおいては積載補助部材９０が収容位置に折りたたまれ、余分なスペースを取ることがない。
【００５８】
なお、トレイ１３０の受容部７１は、受容姿勢から起立姿勢に姿勢が変化される場合に、仕分方向Ｘ３の下流側に位置するトレイ１３０との間に隙間が空いてしまう。そして、このときに受容部７１が姿勢変化してトレイ１３０からカット用紙ＣＳがこぼれ落ちると、隣り合うように配置されるトレイ１３０との間にできた隙間に落ち込んで挟まってしまう虞がある。その点、トレイ１３０に設けられた積載補助部材９０は、受容部７１の姿勢変化に伴って延設位置から収容位置まで回動するので、仕分方向Ｘ３の下流側に位置するトレイ１３０との間にできる隙間にカット用紙ＣＳが落ち込むのを抑制する。
【００５９】
さらに、積載補助部材９０の本体部９１は収容位置において受容部７１と平行をなすので、図６（ｂ）に示すように受容部７１に積載されたカット用紙ＣＳのカールを押さえて、その姿勢を整える。したがって、１つのトレイ１３０に複数のカット用紙ＣＳが積載された場合にも、各カット用紙ＣＳのばらつきを抑制することができる。
【００６０】
上記実施形態によれば、以下のような効果を得ることができる。
（１）受容姿勢の受容部７１に積載されたカット用紙ＣＳの端部が受容部７１から浮き上がっている場合にも、積載補助部材９０によって確実にカット用紙ＣＳの位置決めをすることができる。また、受容部７１の姿勢が受容姿勢から起立姿勢に変化する場合には、積載補助部材９０が回動することで受容部７１との間にカット用紙ＣＳを挟み込む態様となるので、カット用紙ＣＳを積載補助部材９０で押さえることができる。したがって、受容部７１の姿勢変化に伴うトレイ１３０からのカット用紙ＣＳの落下を抑制することができる。
【００６１】
（２）積載補助部材９０の屈曲された先端部によってカット用紙ＣＳの上端位置が位置決めされるので、カット用紙ＣＳが積載補助部材９０の上にかぶさるのを抑制することができる。したがって、受容部７１の姿勢が受容姿勢から起立姿勢に変化する場合に、カット用紙ＣＳが積載補助部材９０を乗り越えてこぼれ落ちるのを抑制することができる。
【００６２】
（３）積載補助部材９０が仕分方向Ｘ３の下流側に隣り合うように配置されるトレイ１３０に当接することで回動するので、隣り合うように配置されるトレイ１３０同士の間に隙間がある場合にも、この隙間にカット用紙ＣＳが落下するのを抑制することができる。
【００６３】
（４）積載補助部材９０を複数配置することで、カット用紙ＣＳの搬送方向Ｘ２における長さが異なる場合や、カット用紙ＣＳの搬送方向Ｘ２における落下位置が異なる場合にも、各カット用紙ＣＳの積載を補助することができる。
【００６４】
（５）規制部９３が本体部９１の回動を規制することで、受容姿勢における本体部９１の位置決めを行うことができる。
（６）積載補助部材９０は起立姿勢において本体部９１が受容部７１と平行をなすので、受容部７１との間に挟まれたカット用紙ＣＳの姿勢を整えることができる。
【００６５】
なお、上記実施形態は以下のように変更してもよい。
・トレイ１３０に設けられた積載補助部材９０の先端側に球状又は半球状の凸部を設け、該凸部によってカット用紙ＣＳの上端の位置を位置決めしたり、カット用紙ＣＳを押さえたりするようにしてもよい。この構成によれば、積載補助部材９０のカット用紙ＣＳに対する摺動負荷を抑制することができる。
【００６６】
・積載補助部材９０は、規制部９３を備えていなくてもよい。
・積載補助部材９０が回動軸９２を備えず、トレイ１３０の位置決め部７２に取り付けられた基端部付近で折れ曲がるように弾性変形することでその先端側が回動するようにしてもよい。
【００６７】
・積載補助部材９０は、搬送方向Ｘ２においてカット用紙ＣＳと対応する長さを有するものが１つだけ設けられていてもよいし、サイズの異なるカット用紙ＣＳの搬送方向Ｘ２における端部等と対応するように、搬送方向Ｘ２に沿って３つ以上配置されていてもよい。
【００６８】
・搬送方向Ｘ２と仕分方向Ｘ３とが一致してもよい。すなわち、カット用紙ＣＳが受け渡し領域ＤＡよりも仕分方向Ｘ３の上流側となる案内板８０側から仕分方向Ｘ３の下流側となるトレイ１３０の位置決め部７２側に向けて排出されるようにしてもよい。
【００６９】
・仕分装置１２０に設けられるトレイ１３０の数や仕分領域ＳＡに配置されるトレイ１３０の数は任意に変更することができる。
・受け渡し領域ＤＡにおいて、トレイ１３０の受容部７１が水平となる受容姿勢でカット用紙ＣＳを受容するようにしてもよい。
【００７０】
・積載部材は、上記実施形態のように側面視において受容部７１と位置決め部７２とがＬ字状に交差する形状のものに限らず、例えば平板状の受容部の周囲に側壁が立設された有底箱状のものであってもよい。あるいは、位置決め部が受容部から櫛歯状に突設されていてもよい。
【００７１】
・プリンター１００は、長尺状のシートＳＴを切断してカット用紙ＣＳとするものに限らず、予め単票とされたカット用紙ＣＳに対して印刷を施すものであってもよい。また、カット用紙ＣＳのカールは、長尺状のシートをロール状に巻き重ねた状態で保持することで生じるものに限らない。なお、予め単票とされたカット用紙ＣＳであっても、印刷や塗装などの表面加工を施したり、加湿や加熱を行うことによってカールが生じる場合がある。
【００７２】
・プリンター１００は、インク以外の他の液体の微小量の液滴を噴射したり吐出したりする液体噴射ヘッド等を備える液体噴射装置であってもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置や捺染装置等であってもよい。
【００７３】
・上記実施形態では、記録方式としてインクジェット方式を採用したプリンターについて記載したが、ドットインパクト方式、電子写真方式や熱転写方式など、任意の記録方式のプリンターに変更することもできる。また、プリンターはシリアルプリンターに限定されず、ラインプリンターやページプリンターでもよい。
【００７４】
・記録装置はプリンターに限らず、ＦＡＸ装置、コピー装置あるいはこれら複数機能を備えた複合機等であってもよい。また、記録装置は、ラベルプリンター、バーコードプリンターや発券装置などであってもよい。
【００７５】
・積載物は用紙に限らず、金属やプラスチックフィルム、布、磁気テープ、ゴムなど、任意の素材のものを対象とすることができる。また、積載物は単票に限らず、内部に空気等を含むことで膨張する袋や、複数枚の単票が綴じられた冊子、剥離紙が付属したラベルなどであってもよい。
【００７６】
・仕分装置は、記録装置に付属して用いられるものに限らない。例えば、シールの貼付処理、箔の転写処理、ステイプル（綴じ）処理、エンボス加工処理、折り畳み処理など、任意の加工処理を施した積載物を仕分けする仕分装置としてもよい。また、トレイ１３０は、仕分装置に限らず、上記のような加工を施した積載物を受容して、該積載物を起立状態にすることでその下端位置を揃えたり、積載物を起立状態にして次の工程（例えば、梱包工程や検査工程など）に搬送するための装置に採用することもできる。なお、トレイ１３０が１つしかない場合や、隣り合うように配置されるトレイ１３０と当接しない位置に配置されている場合には、機体の壁面や機体に設けられた突起部などに当接することで積載補助部材９０が回動するようにすることもできる。
【符号の説明】
【００７７】
６０…移動機構、７１…受容部、７１ａ…受容面、７２…位置決め部、９０…積載補助部材、９１…本体部、９２…回動軸、９３…規制部、１２０…仕分装置、１３０…積載部材の一例としてのトレイ、ＣＳ…積載物の一例としてのカット用紙、Ｘ２…搬送方向、Ｘ３…仕分方向。
【図１】
0005664048.tif 000002
【図２】
0005664048.tif 000003
【図３】
0005664048.tif 000004
【図４】
0005664048.tif 000005
【図５】
0005664048.tif 000006
【図６】
0005664048.tif 000007
【図７】
0005664048.tif 000008
【図８】
0005664048.tif 000009